(57)【特許請求の範囲】
【請求項１】
内部に濾過材を具備した筒状のハウジングと、
該ハウジングの一端に形成され、当該ハウジング内に被濾過液を導入する導入口と、
該導入口から導入された前記被濾過液のうち、前記濾過材を通過して濾過された濾過液を前記ハウジングから導出する第１導出口と、
前記導入口から導入された前記被濾過液のうち、前記濾過材を通過しない未濾過液を前記ハウジングから導出する第２導出口と、
を備え、前記第１導出口及び第２導出口を前記ハウジングの他端に形成するとともに、これら第１導出口、第２導出口、及び前記導入口を前記ハウジングの長手方向と略平行に形成した濾過フィルタ装置を支持するためのホルダ装置であって、
前記ハウジングの長手方向に延設されたホルダ装置本体と、
該ホルダ装置本体の一端側から側方に延びて形成され、前記第１導出口及び第２導出口とそれぞれ接続され得ると共にハウジングの長手方向に開口した導出側接続口が形成された第１アーム部と、
前記ホルダ装置本体の他端側から前記第１アーム部と略平行に延びて形成され、前記導入口と接続され得ると共にハウジングの長手方向に開口した導入側接続口が形成された第２アーム部と、
前記導出側接続口及び導入側接続口を前記第１導出口、第２導出口、及び導入口に対して押圧させ液密に接続するとともに、その接続状態を維持する接続手段と、
を備え、
前記第１導出口、第２導出口、及び導入口のそれぞれに、溝又は細径部を形成するとともに、前記第１アーム部及び第２アーム部における所定位置に、当該溝又は細径部に嵌合係止し得る係止部位を形成したことを特徴とするホルダ装置。
【請求項２】
前記濾過フィルタ装置の濾過材で濾過される前記被濾過液は、前記透析装置から血液浄化器に供給される透析液から成ることを特徴とする請求項１記載のホルダ装置。
【請求項３】
前記第１アーム部又は第２アーム部は、互いに近接又は離間する方向に移動可能とされたことを特徴とする請求項１又は２記載のホルダ装置。
【請求項４】
前記ハウジングの一端側又は他端側における周縁にフランジを形成するとともに、前記第１アーム部又は第２アーム部における所定位置に、当該フランジを嵌合しつつ案内し得る案内溝が形成されたことを特徴とする請求項１〜３のいずれか１つに記載のホルダ装置。
【請求項５】
前記フランジは、前記第１導出口、第２導出口、又は導入口の前記第１アーム部又は第２アーム部に対する装着方向に先細り形状とされたことを特徴とする請求項４記載のホルダ装置。
【発明の詳細な説明】
【０００１】
【発明の属する技術分野】
本発明は、透析液等の液体を濾過して浄化するための濾過フィルタ装置を支持するためのホルダ装置に関する。
【０００２】
【従来の技術】
透析治療に使用される透析装置は、血液回路に接続されたダイアライザに透析液を供給するとともに、透析により老廃物を含んだ透析液をダイアライザから排出すべく透析液導入ライン及び透析液排出ラインが延設されている。これら透析液導入ライン及び透析液排出ラインの先端は、ダイアライザの透析液導入ポート及び透析液導出ポートにそれぞれ接続されており、透析液の供給及び排出が行われている。
【０００３】
透析装置には、ダイアライザに供給される前の透析液を濾過し得る濾過フィルタ装置が接続されている場合があり、かかる濾過フィルタ装置によりダイアライザに浄化された透析液のみが供給されるよう構成されている。この濾過フィルタ装置は、従来、ダイアライザのハウジングを流用して使用される場合が多く、例えば図１３に示すように、ダイアライザの各ポートにカプラＣを接続し、該カプラＣを介して透析液導入ラインの途中に接続されていた（以下、この技術を第１従来例という）。
【０００４】
即ち、ダイアライザを流用した濾過フィルタ装置１００は、導入ポート１０２に接続されたカプラＣを透析液導入ラインの上流側に接続するとともに、導出ポート１０３と１０４とに接続されたカプラＣ同士をホース等（不図示）で結びつつ下流側に接続することにより、透析装置から供給される透析液を導入ポート１０２から濾過フィルタ装置１００内に導入し、当該濾過フィルタ装置１００内に収容した中空糸膜を通過させて濾過した後、導出ポート１０３及び１０４から導出してダイアライザに供給していたのである。また、透析治療後における中空糸膜の洗浄時には、導出ポート１０１を所定のタイミングで開放し、当該中空糸を通過しない透析液を排出し得るよう構成されている。
【０００５】
上記の如きダイアライザを流用した濾過フィルタ装置においては、各ポートにカプラＣを接続しておき、別途のホルダ装置にて支持しておく必要があり不便であるため、例えば特開平１１−７０１６４号公報で開示されているような、ホルダ装置に簡易に装着し得る専用の濾過フィルタ装置が提案されている（以下、この技術を第２従来例という）。かかる濾過フィルタ装置は、同公報中図１乃至３で開示されているように、中空糸膜を内在させたハウジングの両端に透析液を導入又は導出する口を形成するとともに、これら導入又は導出口がハウジングの径方向（ハウジングの長手方向と直交する方向）に延びて形成されている。
【０００６】
【発明が解決しようとする課題】
しかしながら、上記従来の濾過フィルタ装置においては、以下の如き問題があった。
即ち、第１従来例における導出ポート１０３又は１０４は、ハウジングに対して径方向に延びて形成されているため、内部の中空糸膜で濾過された透析液は、ハウジング内の流通方向（即ちハウジングの長手方向）に対して略直交する方向から導出されることとなるため、その部位において透析液の流れが乱れて淀みが生じ、フィルタ機能を低下させる要因となる虞があった。
【０００７】
このように、透析液、消毒液又は清浄水がフィルタ内をスムーズに流れないと、液の置換に時間がかかる一方、その部位に気泡等が溜まり易くなってしまうとともに、溜まった気泡を除去するのが困難となってしまうという問題があった。また、第１従来例においては、カプラを各ポートにそれぞれ接続する必要があるため、濾過フィルタ装置を透析液導入ラインに接続する際の作業性が悪化してしまうとともに、カプラとの接続部における清浄状態を維持するのには極めて高い注意力が必要となってしまう。
【０００８】
一方、第２従来例においては、ホルダ装置への濾過フィルタ装置の脱着が容易であるため、透析液導入ラインへの接続作業が容易であるものの、各導入口及び導出口がハウジングの径方向に延びて形成されているため、上記第１従来例と同様、透析液、消毒液又は清浄水がハウジング内でスムーズに流れず、液の置換時間の増大や気泡の残留などを引き起こす可能性があった。
【０００９】
本発明は、このような事情に鑑みてなされたもので、被濾過液のハウジング内への導入及び導出をスムーズに行うことができる濾過フィルタ装置を支持するためのホルダ装置を提供することにある。
【００１０】
【課題を解決するための手段】
請求項１記載の発明は、内部に濾過材を具備した筒状のハウジングと、該ハウジングの一端に形成され、当該ハウジング内に被濾過液を導入する導入口と、該導入口から導入された前記被濾過液のうち、前記濾過材を通過して濾過された濾過液を前記ハウジングから導出する第１導出口と、前記導入口から導入された前記被濾過液のうち、前記濾過材を通過しない未濾過液を前記ハウジングから導出する第２導出口とを備え、前記第１導出口及び第２導出口を前記ハウジングの他端に形成するとともに、これら第１導出口、第２導出口、及び前記導入口を前記ハウジングの長手方向と略平行に形成した濾過フィルタ装置を支持するためのホルダ装置であって、前記ハウジングの長手方向に延設されたホルダ装置本体と、該ホルダ装置本体の一端側から側方に延びて形成され、前記第１導出口及び第２導出口とそれぞれ接続され得ると共にハウジングの長手方向に開口した導出側接続口が形成された第１アーム部と、前記ホルダ装置本体の他端側から前記第１アーム部と略平行に延びて形成され、前記導入口と接続され得ると共にハウジングの長手方向に開口した導入側接続口が形成された第２アーム部と、前記導出側接続口及び導入側接続口を前記第１導出口、第２導出口、及び導入口に対して押圧させ液密に接続するとともに、その接続状態を維持する接続手段とを備え、前記第１導出口、第２導出口、及び導入口のそれぞれに、溝又は細径部を形成するとともに、前記第１アーム部及び第２アーム部における所定位置に、当該溝又は細径部に嵌合係止し得る係止部位を形成したことを特徴とする。
【００１１】
請求項２記載の発明は、前記濾過フィルタ装置の濾過材で濾過される前記被濾過液が、前記透析装置から血液浄化器に供給される透析液から成ることを特徴とする。
【００１３】
請求項３記載の発明は、前記第１アーム部又は第２アーム部が、互いに近接又は離間する方向に移動可能とされたことを特徴とする。
【００１５】
請求項４記載の発明は、前記ハウジングの一端側又は他端側における周縁にフランジを形成するとともに、前記第１アーム部又は第２アーム部における所定位置に、当該フランジを嵌合しつつ案内し得る案内溝が形成されたことを特徴とする。
【００１６】
請求項５記載の発明は、前記フランジが、前記第１導出口、第２導出口、又は導入口の前記第１アーム部又は第２アーム部に対する装着方向に先細り形状とされたことを特徴とする。
【００１７】
【発明の実施の形態】
以下、本発明の実施形態について図面を参照しながら具体的に説明する。
本実施形態に係る濾過フィルタ装置は、図１に示すように、透析治療時における透析装置１と血液回路２に介在されたダイアライザ３（血液浄化器）の透析液導入ポート３ｃとを結ぶ透析液導入ラインＬ１に接続されたもので、ダイアライザ３に供給される透析液を濾過して清浄化するものである。
【００１８】
同図における血液回路２は、基端がダイアライザ３の血液導入ポート３ａに接続されつつ先端に動脈側穿刺針ａを有する動脈側血液回路（ダイアライザ３より上流側）と基端がダイアライザ３の血液導出ポート３ｂに接続されつつ先端に静脈側穿刺針ｂを有する静脈側血液回路（ダイアライザ３より下流側）とから構成されており、それらの途中において血液ポンプ４及びドリップチャンバ５が接続されている。
【００１９】
ダイアライザ３内には、周知の如き複数の中空糸膜が配設されている。そして、中空糸内部を血液流路、中空糸外周面とダイアライザ３のハウジング内周面とが成す空間を透析液流路とし、これら血液流路と透析液流路とが中空糸膜を介して配設されることにより、血液中の老廃物を透析液側に透過させて透析治療を行い得るよう構成されている。
【００２０】
尚、同図中Ｌ２は、ダイアライザ３から排出される透析液の流路としての透析液排出ラインを示しており、透析装置１とダイアライザ３の透析液導出ポート３ｄとを結んでいる。また、本実施形態においては、穿刺針が血液回路２の両端に接続されたダブルニードルのものであるが、シングルニードル（Ｙ字管などを介して動脈側血液回路及び静脈側血液回路先端に１本の共通の穿刺針を備えたもの）にも適用することができる。
【００２１】
ここで、透析液導入ラインＬ１に介在した濾過フィルタ装置６は、ホルダ装置７により支持されたものであり、図２及び図３に示すように、濾過材としての複数の中空糸１５を内在した筒状のハウジング８と、該ハウジング８の下端面に液密状に固定された下側蓋材９と、該下側蓋材９に一体成形された導入口１３と、ハウジング８の上端面に液密状に固定された上側蓋材１０と、該上側蓋材１０に一体成形された第１導出口１１及び第２導出口１２とから主に構成されている。
【００２２】
上記ハウジング８、下側蓋材９（導入口１３含む）、上側蓋材１０（第１導出口１１及び第２導出口１２含む）は、透明樹脂（又は半透明樹脂）の成形品から成り、上下端が開口したハウジング８の当該上下端に超音波溶着などにて上側蓋材１０及び下側蓋材９を固定し、これらを一体的に形成したものである。このうちハウジング８が内在する中空糸１５は、一般的な中空糸型ダイアライザが内在する中空糸と同様のものでもよいが、フィルタとしての濾過性能を高めたものが好ましい。中空糸は、膜の厚み方向に極微小な孔を有する半透膜となっている。
【００２３】
即ち、各中空糸の内部を流れる液体（本実施形態においては透析装置１から供給される透析液）が中空糸膜を介して外部（ハウジング８内）に透過されることにより、当該液体を濾過（フィルタリング）し得るよう構成されているのである。また、複数の中空糸１５の両端は、封止剤１４により固着されており、各端部が揃うよう束ねられている。
【００２４】
導入口１３は、下側蓋材９から下方に突出して形成され、透析装置１から供給される透析液（被濾過液）をハウジング８内に導入するものである。即ち、かかる導入口１３は、ハウジング８の下方から外部を臨んだ開口部を構成する一方、ハウジング８内の中空糸１５における下端部側と外部とを連通しており、導入した透析液が全て中空糸１５内に送り込まれるようになっている。尚、当該導入口１３は、下側蓋材９を介してハウジング８の一端（下端）に形成されることとなる。
【００２５】
第１導出口１１は、上側蓋材１０から上方に突出して形成され、ハウジング８内に導入された透析液のうち、中空糸膜を通過して濾過された透析液（濾過液）をハウジング８の外部へ導出するものであるとともに、第２導出口１２は、上側蓋材１０から上方に突出し、且つ、第１導出口１１と並列に形成され、ハウジング８内に導入された透析液のうち、中空糸膜を通過しない透析液（未濾過液）をハウジング８の外部へ導出するものである。
【００２６】
具体的には、ハウジング８における上端側の一部には、側方へ膨出した膨出部８ａが形成されており（図４及び図５参照）、該膨出部８ａ内に中空糸膜を通過した透析液（濾過液）のみが流通し得るよう構成されている。即ち、膨出部８ａは、ハウジング８内における複数の中空糸１５の外側空間と第２導出口１１とを連通した流路を構成し、中空糸膜を通過した透析液を第２導出口１１まで導き得るようになっている。尚、かかる膨出部８ａによりハウジング８の上側開口は一側方に先細りの形状とされており、かかる開口を塞ぐべく、上側蓋材１０は図６の如き形状（即ち、先細り形状）とされている。
【００２７】
一方、第２導出口１２は、ハウジング８内の中空糸１５における上端部側と外部とを連通しており、中空糸膜を通過せず、中空糸１５内を単に素通りした透析液（未濾過液）をハウジング８の外部に導出するようになっている。尚、第１導出口１１及び第２導出口１２は、上側蓋材１０を介してハウジング８の他端（上端）に形成されることとなる。
【００２８】
ここで、ハウジング８内の透析液の流れは、当該ハウジング８の長手方向（即ち、図３中Ｐ方向）と略等しく、かかるＰ方向に対し略平行な向きで導入口１３、第１導出口１１及び第２導出口１２が形成されている。これにより、第１導出口１１及び第２導出口１２による透析液（濾過液及び未濾過液）の導出方向、導入口１３による透析液（被濾過液）の導入方向、及びハウジング内８の透析液の流動方向とを略等しくすることができ、透析液のハウジング８内への導入及び導出をスムーズに行うことができる。
【００２９】
また、第１導出口１１、第２導出口１２及び導入口１３のそれぞれには、細径部１１ａ、１２ａ及び１３ａが形成されているとともに、上側蓋材１０及び下側蓋材９の周縁には、それぞれ側方に突出したフランジ１０ａ及び９ａが形成されている。各口に形成された細径部１１ａ、１２ａ及び１３ａは、ホルダ装置７に形成された係止部位と嵌合係止し得るものであり、フランジ１０ａは、ホルダ装置７に形成された案内溝により案内されるべきものであるが、詳しくは後述する。尚、第１導出口１１、第２導出口１２及び導入口１３のそれぞれには、ガスケットｇが挿入されている。
【００３０】
ホルダ装置７は、濾過フィルタ装置６を支持するためのもので、図７及び図８に示すように、ハウジング８の長手方向（即ち上下方向）に延設されたホルダ装置本体１６と、２つの導出側接続口１９、２０（図９参照）が形成された第１アーム部１７と、１つの導入側接続口２１（図１０参照）が形成された第２アーム部１８と、導出側接続口１９、２０及び導入側接続口２１を第１導出口１１、第２導出口１２、及び導入口１３に対して上下から押圧させ液密に接続するとともに、その接続状態を維持し得る上側レバー２２及び下側レバー２３（接続手段）とを備えたものである。
【００３１】
第１アーム部１７は、ホルダ装置本体１６の一端（上端）側から側方に延びて形成されるとともに、第２アーム部１８は、ホルダ装置本体１６の他端（下端）側から第１アーム部１７と略平行に延びて形成されたものである。また、第１アーム部１７は、ホルダ装置本体１６に対して上下方向に摺動自在とされており、当該第１アーム部１７が第２アーム部１８に対して近接又は離間可能とされている。
【００３２】
かかる構成により、第１アーム部１７及び第２アーム部１８間に濾過フィルタ装置６を挿通して支持する際、当該濾過フィルタ装置における製造時の寸法ばらつき（即ち、濾過フィルタ装置における長手方向の寸法ばらつき）を吸収することができる。尚、本実施形態においては、第１アーム部１７を第２アーム部１８に対して近接又は離間させるべく可動な構成としているが、第２アーム部１８を第１アーム部１７に対して近接又は離間させるべく可動な構成としてもよい。
【００３３】
導出側接続口１９及び２０は、それぞれ第１アーム部１７の背面に接続された可撓性チューブＤ１及びＤ２と接続されており、導入側接続口２１は、同様にホルダ装置本体１６の背面に接続された可撓性チューブＤ３と接続されている（図７参照）。このうち導出側接続口１９と接続された可撓性チューブＤ１は、透析液導入ラインＬ１の下流側に、導入側接続口２１と接続された可撓性チューブＤ３は、透析液導入ラインＬ１の上流側にそれぞれ接続される一方、導出側接続口２０と接続された可撓性チューブＤ２の先端はクランプや電磁弁などによって遮蔽されており、透析液が通過できないようになっている。
【００３４】
上側レバー２２及び下側レバー２３は、図示しないカムを介して導出側接続口１９、２０及び導入側接続口２１と連結されており、上側レバー２２を揺動操作すると、当該カム作用によって導出側接続口１９、２０を下方に移動させるとともに、下側レバー２３を揺動操作すると、同カム作用によって導入側接続口２１を上方に移動させる。即ち、第１アーム部１７及び第２アーム部１８の間に濾過フィルタ装置６を位置させ、第１導出口１１、第２導出口１２、導入口１３をそれぞれ導出側接続口１９、２０、及び導入側接続口２１と対向させた状態にて、上側レバー２２及び下側レバー２３を揺動操作すると、当該第１導出口１１及び第２導出口１２に対して導出側接続口１９、２０を上方から押圧するとともに、導入口１３に対して導入側接続口２１を下方から押圧する。
【００３５】
このような状態においては、濾過フィルタ装置６は上下から挟持されて支持されることとなり、各口が各々の接続口と液密に接続された状態が維持されることとなる。一方、かかる状態から上側レバー２２及び下側レバー２３を逆方向に揺動操作すると、第１導出口１１、第２導出口１２、導入口１３から導出側接続口１９、２０、及び導入側接続口２１が離間して支持が解かれ、濾過フィルタ装置６をホルダ装置７から取り外すことができるよう構成されている。
【００３６】
また、第１アーム部１７の下面における側縁には、図９に示すように、上側蓋材１０の周縁に設けられたフランジ１０ａを嵌合しつつ案内し得る左右一対の案内溝２４が形成されている。かかる案内溝２４により、濾過フィルタ装置６のホルダ装置７に対する装着時、フランジ１０ａが案内されるので、当該濾過フィルタ装置６のホルダ装置７に対する位置決めを容易とし、装着時の作業性を向上させることができる。
【００３７】
更に、第１アーム部１７の下面における略中央には、同図に示すように、第１導出口１１及び第２導出口１２に設けられた細径部１１ａ及び１２ａに嵌合係止し得る係止部位２５が形成されている。かかる係止部位２５は、細径部１１ａ及び１２ａの外径と略等しい（若干大きく形成されている）幅寸法ｔを有する切欠きから成り、図１１で示すように、導出側接続口１９或いは２０の押圧力Ａに抗する反力Ｂ（かかる反力Ｂは各導出口にかかる応力となる）を生じさせることができる。
【００３８】
従って、濾過フィルタ装置６をホルダ装置７にて支持する際、導出側接続口１９及び２０の押圧力Ａに抗する反力Ｂは、細径部１９ａ及び２０ａよりも上側の部位のみに作用することとなり、ハウジング８側には伝達されないので、当該反力Ｂによるハウジング８の変形又は破損等を回避することができるのである。
【００３９】
また、図１０に示すように、第２アーム部１８の上面にも、係止部位２５と同様の係止部位２６が形成されており、濾過フィルタ装置６をホルダ装置７にて支持する際、導入側接続口２１の押圧力に抗する応力が細径部１３ａよりも下側の部位のみに作用して、ハウジング８側には伝達されない。尚、本実施形態の如き細径部に代えて、係止部位２５又は２６で嵌合係止され得る溝を第１導出口１１、第２導出口１２及び導入口１３の側面に形成してもよい。
【００４０】
また更に、図１２に示すように、押圧力Ａが付与されるガスケットｇの直下に係止部位２５が位置するよう、上記実施形態より第２導出口１２’の径を大きく（これに伴い、ガスケットｇの径も大きくする）設計するのが好ましい。かかる形状によれば、押圧力Ａが付与された場合、その反力Ｂが当該押圧力Ａと同一直線上に生じるため、無用なモーメント等が生じず、確実に支持することができる。
【００４１】
次に、上記構成の濾過フィルタ装置６及びそれを支持するためのホルダ装置７における作用について説明する。
まず、ホルダ装置７の背面から延びる可撓性チューブＤ１及びＤ３をそれぞれ透析液導入ラインＬ１に接続しておき、濾過フィルタ装置６を第１アーム部１７及び第２アーム部１８間に挿通させる。このとき、既述のように、上側蓋材１０のフランジ１０ａが案内溝２４により案内されるのであるが、濾過フィルタ装置６のホルダ装置７への装着方向は、上側蓋材１０に形成されたフランジ１０ａの先細り方向（図６参照）と一致しており、濾過フィルタ装置６の装着方向が感覚的に分かり、且つ、案内溝２４によるフランジ１０ａの案内を確実にすることができる。
【００４２】
また、装着時において、濾過フィルタ装置６の長さ寸法に応じて第１アーム部１７が上下に移動し、第１導出口１１、第２導出口１２及び導入口１３が導出側接続口１９、２０及び導入側接続口２１と確実に対向するようになっている。この状態から、上側レバー２２及び下側レバー２３を揺動動作して導出側接続口１９を第１導出口１１に、導出側接続口２０を第２導出口１２に、導入側接続口２１を導入口１３にそれぞれ押圧させ、濾過フィルタ装置６を上下から挟持する。
【００４３】
透析治療時においては、透析装置１から吐出された透析液は、透析液導入ラインＬ１を通過する過程において、可撓性チューブＤ３から導入側接続口２１を介して導入口１３に至り、ハウジング８内の中空糸１５に導入される。そして、中空糸１５が構成する中空糸膜を通過した透析液がハウジング８の膨出部８ａを介して第１導出口１１に至り、そこから導出側接続口１９及び可撓性チューブＤ１を介してダイアライザ３に供給される。尚、可撓性チューブＤ２は、クランプなどにより透析液の流れが遮断されているため、中空糸膜を通過しないで第２導出口１２に至った透析液はダイアライザ３側に供給されない。
【００４４】
即ち、透析装置１からの透析液は、濾過フィルタ装置６の中空糸膜により濾過され、清浄化された透析液のみがダイアライザ３に供給されるのである。その後、透析液はダイアライザ３内の透析液流路を流れ、中空糸膜を介して患者の血液と接触し、当該血液中の老廃物を透析液側に透過させた後、透析液排出ラインＬ２から透析装置１へ排出される。以上、一連の作用により、患者に対する透析治療が行われる。
【００４５】
透析治療の後、濾過フィルタ装置６を洗浄するには、透析装置１から透析液を吐出させつつ、可撓性チューブＤ１とＤ２とを交互に開放及び閉塞させる。即ち、中空糸膜を通過させて第１導出口１１から透析液を導出させたり、当該中空糸膜を素通りさせて第２導出口１２から透析液を導出させたりすることにより、中空糸膜に堆積した異物を濾過フィルタ装置６外へ排出するのである。
【００４６】
これにより、濾過フィルタ装置６を所定回数使用するに際し、ホルダ装置７で支持したまま洗浄することができ、透析装置に搭載したまま濾過フィルタ装置６の洗浄作業を行うことができる。尚、所定回数使用して濾過フィルタ装置６を廃棄するに際しては、上側レバー２２及び下側レバー２３を揺動操作し、第１導出口１１、第２導出口１２及び導入口１３から導出側接続口１９、２０及び導入側接続口２１を離間させ、支持を解除する。
【００４７】
かかる状態で、濾過フィルタ装置６をホルダ装置７から取り外し、新たな濾過フィルタ装置をホルダ装置７にセットする。このように、濾過フィルタ装置６の取り外しも極めて簡易に行うことができ、装着時の簡易とも併せ、当該濾過フィルタ装置６のホルダ装置７に対する脱着時における作業性を向上させることができる。
【００４８】
以上、本実施形態に係る濾過フィルタ装置及びそれを支持するためのホルダ装置について説明したが、本発明はこれに限定されるものではなく、例えば、ホルダ装置の第２アーム部１８における所定部位にも、下側蓋材９に形成されたフランジ９ａを案内するための案内溝を形成してもよい。また、上記実施形態においては、導入口１３が下方を向き、第１導出口１１及び第２導出口１２が上方を向くようホルダ装置７にて支持されているが、導入口１３が上方を向き、第１導出口１１及び第２導出口１２が下方を向くよう支持してもよい。更に、本実施形態においては、透析治療時においてダイアライザに供給される透析液を濾過するものに適用されているが、他のもの（流体）を濾過（フィルタリング）するものに適用してもよい。
【００４９】
【発明の効果】
請求項１の発明によれば、支持する濾過フィルタ装置において、第１導出口、第２導出口及び導入口をハウジングと略平行に形成したので、当該第１導出口及び第２導出口による濾過液及び未濾過液の導出方向、導入口による被濾過液の導入方向、及びハウジング内の液の流動方向とを略等しくすることができ、被濾過液のハウジング内への導入及び導出をスムーズに行うことができる。
また、請求項１のホルダ装置においては、濾過フィルタ装置の各口に対し、第１アーム部及び第２アーム部に形成された導出側接続口及び導入側接続口を押圧させて液密に接続し、その接続状態を維持することができるので、当該濾過フィルタ装置を簡易に支持することができ、装置セッティング時の作業性を向上させることができる。
更に、請求項１のホルダ装置においては、第１導出口、第２導出口、及び導入口のそれぞれに、溝又は細径部を形成するとともに、第１アーム部及び第２アーム部における所定位置に、溝又は細径部に嵌合係止し得る係止部位が形成しているので、接続手段にて導出側接続口及び導入側接続口を第１導出口、第２導出口、及び導入口に押圧させる際に、濾過フィルタ装置において応力が付与される箇所を限定的なものとすることができる。
即ち、溝又は細径部が係止部位にて嵌合係止されつつ接続手段にて各口に対する押圧が行われることとなるため、接続時に付与される応力は、第１導出口、第２導出口及び導入口のみに作用するのである。従って、ハウジングを含む濾過フィルタ装置全体に応力が付与されるものに比べ、当該応力によるハウジング等の変形又は破損等を回避することができるのである。
【００５０】
請求項２の発明によれば、透析治療に使用される血液浄化器に透析装置から供給される透析液をスムーズに流動させることができ、当該透析液の十分な濾過作用及び供給作用を達成することができる。
【００５２】
請求項３の発明によれば、第１アーム部又は第２アーム部が、互いに近接又は離間する方向に移動可能とされているので、濾過フィルタ装置を支持する際、当該濾過フィルタ装置における製造時の寸法ばらつき（即ち、濾過フィルタ装置における長手方向の寸法ばらつき）を吸収することができる。
【００５５】
請求項４の発明によれば、第１アーム部及び第２アーム部に形成された案内溝により、濾過フィルタ装置に形成されたフランジが案内されるので、当該濾過フィルタ装置のホルダ装置に対する位置決めを容易とし、装着時の作業性を向上させることができる。
【００５６】
請求項５の発明によれば、フランジが、第１導出口、第２導出口、又は導入口の前記第１アーム部又は第２アーム部に対する装着方向に先細り形状とされているので、濾過フィルタ装置のホルダ装置に対する装着方向が感覚的に分かり、且つ、案内溝によるフランジの案内を確実にすることができる。
【図面の簡単な説明】
【図１】本発明の実施形態に係る濾過フィルタ装置及びそれを支持するためのホルダ装置を透析治療に用いた場合を示す模式図
【図２】本発明の実施形態に係る濾過フィルタ装置を示す側面図
【図３】本発明の実施形態に係る濾過フィルタ装置を示す縦断面図
【図４】本発明の実施形態に係る濾過フィルタ装置を斜め下方から見た斜視図
【図５】本発明の実施形態に係る濾過フィルタ装置を斜め上方から見た斜視図
【図６】本発明の実施形態に係る濾過フィルタ装置を示す上面図
【図７】本発明の実施形態に係る濾過フィルタ装置を支持した状態のホルダ装置を示す側面図
【図８】本発明の実施形態に係る濾過フィルタ装置を支持した状態のホルダ装置を示す正面図
【図９】図８におけるＩＸ−ＩＸ線断面図
【図１０】図８におけるＸ−Ｘ線断面図
【図１１】本発明の実施形態に係る濾過フィルタ装置の細径部がホルダ装置の係止部位に嵌合係止された状態を示す拡大模式図
【図１２】本発明の他の実施形態に係る濾過フィルタ装置の細径部がホルダ装置の係止部位に嵌合係止された状態を示す拡大模式図
【図１３】従来の濾過フィルタ装置を示す側面図
【符号の説明】
１…透析装置
２…血液回路
３…ダイアライザ
４…血液ポンプ
５…ドリップチャンバ
６…濾過フィルタ装置
７…ホルダ装置
８…ハウジング
８ａ…膨出部
９…下側蓋材
１０…上側蓋材
９ａ、１０ａ…フランジ
１１…第１導出口
１２…第２導出口
１３…導入口
１４…封止剤
１５…中空糸（濾過材）
１６…ホルダ装置本体
１７…第１アーム部
１８…第２アーム部
１９、２０…導出側接続口
２１…導入側接続口
２２…上側レバー
２３…下側レバー
２４…案内溝
２５、２６…係止部位
【図１】
0003923845.tif 000002
【図２】
0003923845.tif 000003
【図３】
0003923845.tif 000004
【図４】
0003923845.tif 000005
【図５】
0003923845.tif 000006
【図６】
0003923845.tif 000007
【図７】
0003923845.tif 000008
【図８】
0003923845.tif 000009
【図９】
0003923845.tif 000010
【図１０】
0003923845.tif 000011
【図１１】
0003923845.tif 000012
【図１２】
0003923845.tif 000013
【図１３】
0003923845.tif 000014